(57)【特許請求の範囲】
【請求項１】
電源と負荷との間に介設した電気接続箱の絶縁支持体に一方及び他方の電線をクロス配線するものにおいて、前記絶縁支持体に一方の電線を挟持する形態で保持する一対のリブ体を突設すると共に各リブ体に他方の電線を位置決めする係止溝を設け、前記他方の電線を前記各リブ体の頂部間に配索することにより、該他方の電線が前記一方の電線の上方を立体交差して該他方の電線が前記一方の電線と間隔を存して逆Ｕ字状に保持されるように構成したことを特徴とする電気接続箱の絶縁支持体装置。
【請求項２】
前記各リブ体は、互いに対面する脚壁部のうち少なくともいずれか一方の脚壁部に突起部を形成し、少なくともいずれか他方の脚壁部と前記突起部との間に、前記一方の電線を圧入して配索保持しうるようにしたことを特徴とする請求項１記載の電気接続箱の絶縁支持体装置。
【請求項３】
前記各リブ体の間に干渉部材を橋架し、該干渉部材により、各頂部間に橋架した他方の電線を各リブ体に保持させるように構成したことを特徴とする請求項１又は２記載の電気接続箱の絶縁支持体装置。
【発明の詳細な説明】
【０００１】
【発明の属する技術分野】
本発明は、各種の電気負荷に接続されたワイヤーハーネスの入力側端子群が集中配置される電気接続箱を介して、電源電流を電気負荷に供給する電気接続箱の絶縁支持体装置に関する。
【０００２】
【従来の技術】
従来、電源と負荷との間に介設されている電気接続箱の絶縁支持体装置は、種々の電気負荷へ接続されるワイヤーハーネスの端子が集中して配置される。例えば、自動車のランプユニットの灯火類やドアウィンドレギュレータといった各種の電気負荷へ接続されるワイヤーハーネスにあっては、その入力側端子群が電気接続箱の絶縁支持体装置に集中して配置され、電源電流を絶縁支持体装置からこれらワイヤーハーネスを介して電気負荷に供給するようになつている。
【０００３】
絶縁支持体装置の一例を図１２，１３について説明すると、該装置は電気接続箱の外郭である上部絶縁ケース１（以下「絶縁支持体」という。）と、そこに後工程により布線される電気接続箱２とで形成され、自動車の一定の限られたスペース、例えばエンジンルーム、車室内のインストルメントパネル下方あるいはその背面、トランクルームといった空間に設置される。
【０００４】
絶縁支持体１は、合成樹脂製で成形されるが、電線２を圧入して挟持する大小の複数のボス３，およびヒューズやコネクタ等の部品を収容して接続する複数のハウジング４が、一体に形成される。５は、絶縁支持体１に挿通された圧接端子で、その溝６に電線２を押し込んで挟持することにより、金属接触し電気接続が完了するものである。なお、７は絶縁支持体１に電線を布線配索して製作するときに、製作機械に位置決めしてセットするための位置決め孔を示す。
【０００５】
前工程で準備され前記絶縁支持体１に、後工程において、特開平４−１７１６８８号公報により自体公知である布線配索装置によって電線２が所定の配線パターンに従って布線して配索され、絶縁支持体８を得る。なお、電線の布線配索は、自体公知である専用の機械装置（前記公報所載の技術）や超音波ホーンノズルから供給される電線を、絶縁支持体を部分的に溶融して一体的に溶着させる技術、あるいは手作業による配索等により行われる。
【０００６】
このとき、電線２はボス３の間に圧入されるが、電線の保持性を確保するために、適宜蓋部材の裏面に設けた突起を当接させたり、接着剤を塗布したりして圧入された電線を固定する処置が適宜施される。
【０００７】
これは、車両走行時に絶縁支持体装置に伝わった走行振動により、電線２が、ボス３の間から外れ、これにより電線間の接触による短絡を生じたり、車室内騒音の一因となって室内居住性を損ねたりしないようにするためである。
【０００８】
【発明が解決しようとする課題】
前記従来装置にあっては、最近の自動車の高機能化、電子化に伴い、ランプユニット類、その他の電装品を増設搭載する必要性が生じた場合には、絶縁支持体装置の設置スペースは、限定されているので、もはや絶縁支持体の外形寸法を大きく変更することには限界がある。
【０００９】
そこで、図１３の（ｂ）に示すように、絶縁支持体１において、いわゆるクロス配索と称して下方に位置する電線２’を、上方にある電線２”がブリッジ状に空隙を存して跨ぐように配索することが考えられる。
【００１０】
ところが、電線２が通常の被覆電線でなく、エナメル線や裸線である場合には、何らかの原因で電線２’と電線２”とが互いに接触してしまい、このため電気負荷にバッテリー電源の電気を安定的に供給できなくなるおそれがある。
【００１１】
本発明は、上述した事情に鑑みて工夫されたもので、設置部位のスペースを有効に活用するため、絶縁支持体の全体の形状を変更することなく、クロス配索を行い、かつ、耐絶縁性能を確実に確保できる電気接続箱の絶縁支持体装置を得ることを課題とする。
【００１２】
【課題を解決するための手段】
前記課題を解決するためなされた請求項１記載の発明に係る電気接続箱の絶縁支持体装置は、電源と負荷との間に介設した電気接続箱の絶縁支持体に一方及び他方の電線をクロス配線するものにおいて、前記絶縁支持体に一方の電線を挟持する形態で保持する一対のリブ体を突設すると共に各リブ体に他方の電線を位置決めする係止溝を設け、前記他方の電線を前記各リブ体の頂部間に配索することにより、該他方の電線が前記一方の電線の上方を立体交差して該他方の電線が前記一方の電線と間隔を存して逆Ｕ字状に保持されるように構成したものである。
【００１３】
すなわち、前記各リブ体に係止溝を設け、該係止溝に位置決めされる他方の電線を前記リブの各頂部間に橋架して配索する形式である。
【００１４】
請求項２記載の発明に係る電気接続箱の絶縁支持体装置は、前記各リブ体は、互いに対面する脚壁部のうち少なくともいずれか一方の脚壁部に突起部を形成し、少なくともいずれか他方の脚壁部と前記突起部との間に、前記一方の電線を圧入して配索保持しうるようにしたことを特徴とする。
【００１５】
前記の構成において、前記突起部は、前記各脚壁部にそれぞれ対向するように突設するのが望ましい。
【００１６】
請求項３記載の発明は、請求項１又は２に記載の電気接続箱の絶縁支持体装置に係り、前記各リブ体の間に干渉部材を橋架し、該干渉部材により立体交差する各電線が互いに接触しないようにしようとするものである。
【００１７】
この場合、前記干渉部材は、前記リブ体の各頂部間に橋架した他方の電線を各リブ体に保持しうるように形成する。
【００１８】
請求項１に記載された本発明によれば、リブ体とリブ体の各頂部間に橋架される他方の電線が、各リブ体の間を配索される一方の電線にクロスするように立体交差して保持される。
【００１９】
前記他方の電線は、各リブ体の柱状部に設けた係止溝に位置決めして各柱状部の頂部間に配索される。
【００２０】
請求項２に記載された本発明によれば、その脚壁部のうち少なくともいずれか一方の脚壁部に突起部を設け、少なくともいずれか他方の脚壁部と突起部との間に、一方の電線を圧入して配索保持される。
【００２１】
前記の構成において、各柱状部の各脚壁部に、互いに向き合う突起部を突設することにより、電線の布線配索が容易になる。
【００２２】
請求項３に記載された本発明によれば、各リブ体の間に橋架される干渉部材が存在するので、立体交差してクロス配索される電線が直接に接触することはない。
【００２３】
すなわち、干渉部材が各リブ体の頂部の間に橋架される他方の電線を位置ずれさせることなく、各リブ体に安定的に保持させることができる。
【００２４】
【発明の実施の形態】
以下、本発明の一実施の形態を図１乃至図５に基づいてその構成を詳細に説明する。
【００２５】
符号１０は、合成樹脂製の絶縁支持体１１に一体成形された一対の柱形状をなすリブ体である。このリブ体１０には、平坦な面を有する頂部１２と、脚壁部１３と、脚壁部１３の反対側に設けた矩形状の係止溝１４と、突起部１５とが設けられる。該突起部１５は、脚壁部１３の略下半分の中央部位において、蒲鉾形状をなして突設される。それぞれのリブ体１０は、電線の布線スペースを確保すべく、互いの脚壁部１３を所定の間隙を存して対面させるように左右対称に配置される。このとき、各突起部１５は、互いに向き合って近接する方向に対峙する。また、各係止溝１４も左右対称の位置に配置される。これにより、脚壁部１３の間隙は、突起部１５間の部位で最も狭くなる。なお、このような形態を有するリブ体１０は、各一対をなして適宜絶縁支持体１１の所定箇所に形成される。
【００２６】
次に、図４，５に基づいて、絶縁支持体１１に、電線（裸線ないしはエナメル線である。）をクロス（立体交差）して布線配索する方法を説明する。
【００２７】
先ず、脚壁部１３間の間隙に一方の電線１６（以下、「下段電線」という。）を布線すなわちセットする。次いで突起部１５間の間隙に下段電線１６を押し込む。このため、下段電線１６は突起部１５の間で安定的に保持されて布線配索されることとなる（図４）。
【００２８】
次に、下段電線１６に他方の電線１７（以下、「上段電線」という。）をクロスさせて布線配索するには、上段電線１７を一方のリブ体１０の係止溝１４に沿って上方に添わせ頂部１２まで布線する。そこから他方のリブ体１０の頂部１２に橋架し、さらに係止溝１４に添って下方に布線する。
【００２９】
こうして、上段電線１７は、下段電線１６に対して所定の間隙を存して逆Ｕ字形状に布線配索、すなわちクロス配索される（図５）。
【００３０】
前記実施形態によれば、下段電線１６を両突起部１５の間に押し込んで配索する構成にしたため、通常使用時はもちろん、外部から振動や力が作用しても下段電線１６が、リブ体１０の間から解脱することはなく、それだけクロス配索の信頼性を良好に維持することができる効果を有する。
【００３１】
また、クロス配索は、下段電線１６については突起部１５間に圧入するだけでよく、上段電線１７については、係止溝１４が位置決めと配索時の案内の機能とを有するため、一方のリブ体１０の係止溝１４に添わせて上段電線を頂部方向に布線し、次いで一方の頂部１２から他方のリブ体の頂部に亘って橋架し、再び他方のリブ体１０の係止溝１４を下方に添って配索できるようにしているため、クロス配索作業を簡単に行える効果を有する。
【００３２】
さらに、上段電線１７は、リブ体１０を介して下段電線１６を逆Ｕ字状に跨いで配索される構成にしたため、互いの電線１６，１７が接触することはなく、しかも上段電線１７は、位置がずれないように係止溝１４に保持されているため、上段電線が頂部１２から抜け出すことを阻止でき、その結果、上下段両電線１６，１７の間の耐絶縁性能を円滑に確保できるという効果を有する。
【００３３】
次に、前記一実施の形態の変形例を、図６〜図８に基づいて説明すると、リブ体１０の各側壁部１８に水平方向に指向して凹溝１９を設ける。２０は、各リブ体１０間に橋架され、両電線１６，１７が物理的に接触するのを強制的に回避するための干渉部材である。該干渉部材２０は、例えば合成樹脂製の絶縁性素材で形成され、略箱体の蓋形状を呈するように形成されており（図８）、その脚片部２１の下縁には前記凹溝１９に係合しうる係合フランジ２２が設けられる。そして、干渉部材２０をリブ体１０に取り付ける場合、両脚片部２１を自体有する弾性力に抗して互いに離反する方向に広げ、その状態で係合フランジ２２を凹溝１９にはめ込み、拡開力を除荷する。すると、干渉部材２０は、その復元力によりリブ体に強固に保持される（図８）。
【００３４】
なお、２３は、取り付け後の干渉部材２０が、上段電線に当接することにより矢印方向に移動するストッパを示す（図７）。
【００３５】
この変形例は、前記構成を有するため、上下段両電線１６，１７を前記一実施の形態のように布線配索した後において、該干渉部材２０を上段電線１７の上からリブ体１０間に橋架し、その係合フランジ２２を凹溝１９にはめ込む。これにより、上段電線１７は、頂部１２から位置ずれしようとしても、干渉部材２０により頂部１２から脱落することを未然に防止できる効果を有する。
【００３６】
また、係合フランジ２２は、上段電線１７よりも下方に位置している構成であるため、万一下段電線１６が突起部１５から外れて浮き上がっても、係合フランジ２２に干渉されてそれ以上に上段電線の方へ変位することを強制的に阻止される。このため、電線の耐絶縁性能をより確実に実現できる効果を奏する。
【００３７】
なお、干渉部材２０は、ゴム、木、再生紙といった絶縁性の素材を適用するものである。また、干渉部材２０は上段電線１７の上から被せるようにして設けたが、単に上下段両電線の間を遮断できさえすれば、上段電線の上から被せるようにしなくてもよい。
【００３８】
前記変形例における突起部１５は、脚壁部１３の中央部位に部分的に設けたが、図９の（ａ）のように、脚壁部１３の全幅に亘って設けた突起部２４でもよく、これにより前記一実施の形態および変形例と略同様の効果を得る。また、図９の（ｂ）のように、突起部１５を蒲鉾状ではなく、山形状の突起部２５に形成したものでもよい。
【００３９】
さらに、図９（ｃ）のように、突起部２８の上端をやじり状のテーパ部２７として形成してもよい。この場合、布線時における下段電線１６の圧入を行いやすくでき、また、圧入後の下段電線をテーパ部２７の存在により、突起部２６から抜け出すのをより効果的に実現できる。
【００４０】
さらにまたね図９（ｄ）のように、突起部２８に湾曲した凹所２９を形成してもよく、これにより下段電線１６の抜け出しをより確実に防止できる。また、前記した各変形例を、適宜組み合わせて突起部を形成することもできる。
【００４１】
また、突起１５は、各リブ体１０の脚壁部１３に形成したが、必ずしも同時に設けなくてもよく、いずれか一方側にのみ突起部１５を形成した態様であってもよいものである。
【００４２】
前記各変形例では、リブ体１０の脚壁部１３と反対側の壁面に係止溝１４を設けた構成であったが、この代わりに図１０に示す各変形例であってもよい。すなわち、図１０（ａ）のように、頂部１２にも係止溝１４に連続する溝３０を設けてもよい。これによれば、上段電線１７は、溝３０に係合した構成であるため、上段電線１７の変位を拘束でき、耐絶縁性をより確実に実現できる。また、図１０（ｂ）のように、上段電線がより溝３１に面接触する部分が多くなり、安定してリブ体１０に位置決めされることとなる。さらに、図１０（ｃ）に示すように、頂部１２のみに溝３２を設けることもできる。
【００４３】
また、図１１に示すように、各リブ体１０に２個あるいは適宜数の係止溝１４を設けてもよい。この場合、突起部１５は、各係止溝に対応して設けることもできるが、それ以上の数であってもよく、あるいは一個であってもよい。
【００４４】
さらに、これら各変形例の態様を適宜組み合わせて構成することもできる。
【００４５】
前記一実施の形態およびすべての変形例において用いた上下段の各電線１６，１７は、裸線等を前提として説明したが、もちろんこれに限られるものでなく、通常の被覆電線を使用することもできる。
【００４６】
また、リブ体１０は、絶縁支持体１１に一体成形して構成したが、これは前記した従来装置におけるボス３にも適宜適用することができることは、言うまでもない。さらに、自動車用に限定されるものでなく、各種産業分野の装置類に適用されるものである。その他、本発明は、本発明の主旨を変えない範囲で種々変更して実施可能なことはもちろんである。
【００４７】
【発明の効果】
以上説明したように、請求項１に記載された本発明によれば、電源と負荷との間に介設した電気接続箱の絶縁支持体に一方及び他方の電線をクロス配線するものにおいて、前記絶縁支持体に一方の電線を挟持する形態で保持する一対のリブ体を突設すると共に各リブ体に他方の電線を位置決めする係止溝を設け、前記他方の電線を前記各リブ体の頂部間に配索することにより、該他方の電線が前記一方の電線の上方を立体交差して該他方の電線が前記一方の電線と間隔を存して逆Ｕ字状に保持されるように構成したため、電気接続箱の絶縁支持体装置を大型化することなく、耐絶縁性能を維持しつつ立体交差をなして配索を行うことができ、ひいては取り付けスペースの限られた部位にも多くの配索をなした絶縁支持体装置をスムーズに装着できるので、設置個所の空間を有効に活用できるという効果を奏する。
【００４８】
特に、前記各リブ体に係止溝を設け、該係止溝に位置決めされる他方の電線を前記リブの各頂部間に橋架して配索させたため、前記他方の電線が係止溝に案内されて配索され、簡易に布線配索を行うことができる。また、衝撃力に対しても位置ずれすることがなく、より耐絶縁性を高めることができるという効果を奏する。
【００４９】
請求項２に記載された本発明によれば、前記各リブ体の互いに対面する脚壁部のうち少なくともいずれか一方の脚壁部に突起゛を形成し、少なくともいずれか他方の脚壁部と前記突起部との嵌に、前記電線を圧入して配索保持しうるようにしたため、電線を各リブ体の間で確実に保持でき、外部から力や振動等が作用しても、電線が突起部間から外れることはなく、このため、絶縁支持体装置の内部で異音を発生することを未然に防止できる効果を奏する。
【００５０】
この場合、前記突起部は、前記各脚壁部にそれぞれ対向するように突設することにより、電線を両突起部間に圧入するだけで容易に配索を行うことができる。
【００５１】
請求項３に記載された本発明によれば、前記各リブ体の間に干渉部材を橋架したため、各リブ体の頂部間に橋架した他方の電線を各リブ体に確実に保持することができる。
【００５２】
これにより、各リブ体の頂部間に橋架した他方の電線が該頂部から解脱するのを未然に防止できる効果を奏する。
【図面の簡単な説明】
【図１】本発明による一実施の形態を示す外観拡大斜視図である。
【図２】図１の矢印Ａ方向から視た側面図である。
【図３】図１の矢印Ｂ方向から視た平面図である。
【図４】一実施の形態におけるリブ体の間に下段電線を布線配索する状態を示す外観作用説明図である。
【図５】図４の状態におけるリブ体に上段電線を布線配索する状態を示す外観作用説明図である。
【図６】前記一実施の形態に係る変形例における外観斜視図である。
【図７】図６のリブ体に上下段両電線を布線配索した後に干渉部材２０を被着した状態を示す外観斜視図である。
【図８】図７の矢印Ｃ−Ｃ線における矢視断面図である。
【図９】前記一実施の形態における突起部の４つの異なる変形例を示し、（ａ）及び（ｂ）は、その平面図、（ｃ）および（ｄ）は側面図である。
【図１０】前記一実施の形態に係るリブ体の３つの異なる変形例における外観斜視図である。
【図１１】前記一実施の形態に係るさらに別の変形例における外観斜視図である。
【図１２】（ａ）は従来装置における絶縁支持体１の外観斜視図、（ｂ）は絶縁支持体１に組み込まれる圧接端子５の外観拡大斜視図である。
【図１３】（ａ）は絶縁支持体１に電線２を布線配索した状態における外観斜視図、（ｂ）はＤにおける要部拡大図である。
【符号の説明】
１０                          リブ体
１１                          絶縁支持体
１２                          頂部
１３                          脚壁部
１４，３０，３１，３２        係止溝
１５，２４，２５，２６，２８  突起部
１６                          下段電線
１７                          上段電線
１９                          凹溝
２０                          干渉部材
【図１】
0003936499.tif 000002
【図２】
0003936499.tif 000003
【図３】
0003936499.tif 000004
【図４】
0003936499.tif 000005
【図５】
0003936499.tif 000006
【図６】
0003936499.tif 000007
【図７】
0003936499.tif 000008
【図８】
0003936499.tif 000009
【図９】
0003936499.tif 000010
【図１０】
0003936499.tif 000011
【図１１】
0003936499.tif 000012
【図１２】
0003936499.tif 000013
【図１３】
0003936499.tif 000014